(57)【要約】      （修正有）【課題】ユーザの顔の前に適度な大きさの空間を確保することができる飛沫防止具を提供する。【解決手段】飛沫防止具は、飛沫の付着を防止するシールド板２と、シールド板の縁部に、切欠状に形成された凹部３と、凹部を下側に配置させた場合に、凹部から下方に突出する突部４と、シールド板に形成され、マスク１０の紐１０ｂを挿入する挿入孔６ａとを備える。好ましくは、ユーザの鼻に当接する位置に突部が配置される。より好ましくは、凹部の中央部分に突部が配置される。【選択図】図２
0003228358.tif 000002
【実用新案登録請求の範囲】
【請求項１】
飛沫の付着を防止するシールド板と、
前記シールド板の縁部に、切欠状に形成された凹部と、
該凹部を下側に配置させた場合に、前記凹部から下方に突出する突部と、
前記シールド板に形成され、マスクの紐を挿入する挿入孔と
を備える飛沫防止具。
【請求項２】
ユーザの鼻に当接する位置に前記突部が配置される
請求項１に記載の飛沫防止具。
【請求項３】
前記凹部の中央部分に前記突部が配置される
請求項１又は２に記載の飛沫防止具。
【請求項４】
前記凹部を下側に配置させた場合に、前記挿入孔は上下に延び、
前記挿入孔の両端部に、前記挿入孔の長手方向に交差する方向に延びる交差部が形成される
請求項１から３のいずれか一つに記載の飛沫防止具。
【考案の詳細な説明】
【技術分野】
【０００１】
飛沫がユーザに付着することを防止する飛沫防止具に関する。
【背景技術】
【０００２】
従来、口部を覆うマスクに装着可能な眼部防塵マスクが提案されている。眼部防塵マスクは板状の防塵部を備え、防塵部の縁部を切り欠くように鼻部回避部が形成されている。鼻部回避部の両側には、マスクの紐を通すための装着孔が形成されている。眼部防塵マスクは、口部を覆うマスクに装着可能であり、利便性が高い（特許文献１参照）。
【先行技術文献】
【特許文献】
【０００３】
【特許文献１】実登２５６４２６８号公報
【考案の概要】
【考案が解決しようとする課題】
【０００４】
上記眼部防塵マスクは、ユーザの顔に接近するので、ユーザが眼鏡を使用する場合、ユーザの顔と防塵部との間に、眼鏡を配置させるための空間を確保しにくい。
【０００５】
本考案は、斯かる事情に鑑みてなされたものであり、ユーザの顔の前に適度な大きさの空間を確保することができる飛沫防止具を提供することを目的とする。
【課題を解決するための手段】
【０００６】
本開示の一実施形態に係る飛沫防止具は、飛沫の付着を防止するシールド板と、前記シールド板の縁部に、切欠状に形成された凹部と、該凹部を下側に配置させた場合に、前記凹部から下方に突出する突部と、前記シールド板に形成され、マスクの紐を挿入する挿入孔とを備える。
【考案の効果】
【０００７】
本開示の一実施形態に係る飛沫防止具にあっては、ユーザが飛沫防止具を装着した場合、凹部に形成された突部はユーザの鼻に当接するので、シールド板がユーザの顔に接近することを防止し、シールド板と顔との間に、適度な大きさの空間、例えば眼鏡を配置可能な大きさの空間を確保することができる。
【図面の簡単な説明】
【０００８】
【図１】飛沫防止具の略示正面図である。
【図２】マスクを取り付けた飛沫防止具の略示斜視図である。
【図３】飛沫防止具をユーザに取り付けた状態を示す模式的部分拡大縦断面図である。
【考案を実施するための形態】
【０００９】
以下、本考案を実施の形態に係る飛沫防止具１を示す図面に基づいて、説明する。以下の説明では、図に示す前後左右上下を使用する。図１は、飛沫防止具１の略示正面図である。飛沫防止具１は、略矩形状の透明なシールド板２を備え、シールド板２は、下縁部２ａ、上縁部２ｂ、左縁部２ｃ及び右縁部２ｄを備える。シールド板２の右上隅部及び左上隅部の縁は、外向きに突出するように湾曲した円弧形をなす。
【００１０】
下縁部２ａの左右方向中央部には、上方に向けて突出するように湾曲した円弧形をなす凹部３が形成されている。凹部３は、下縁部２ａを切り欠くように形成されている。凹部３の底部分（下縁部２ａ又は凹部３の左右方向略中央）に、下方に向けて突出した突部４が形成されている。
【００１１】
シールド板２の左下隅部は、シールド板２の上下方向中央部から、斜め下左方向に延びる左フラップ５を形成する。左フラップ５には、左フラップ５の長手方向に沿って延びた左スリット５ａが形成されている。左スリット５ａの上下方向中央部は、左側に突出するように湾曲した半円形をなす。左フラップ５において、前記半円形の内側部分は舌片５ｂを構成する。左スリット５ａは挿入孔を構成する。
【００１２】
左スリット５ａの上端部は湾曲し、先端が凹部３に向いたフック状部５ｃを形成し、左スリット５ａの下端部は湾曲し、先端が凹部３に向いたフック状部５ｄを形成する。換言すれば、フック状部５ｃ、５ｄは、左スリット５ａの長手方向に交差する方向であって、舌片５ｂの反対側に延びる。
【００１３】
シールド板２の右下隅部は、シールド板２の上下方向中央部から、斜め下右方向に延びる右フラップ６を形成する。右フラップ６には、右フラップ６の長手方向に沿って延びた右スリット６ａが形成されている。右スリット６ａの上下方向中央部は、右側に突出するように湾曲した半円形をなす。右フラップ６において、前記半円形の内側部分は舌片６ｂを構成する。右スリット６ａは挿入孔を構成する。
【００１４】
右スリット６ａの上端部は湾曲し、先端が凹部３に向いたフック状部６ｃを形成し、右スリット６ａの下端部は湾曲し、先端が凹部３に向いたフック状部６ｄを形成する。換言すれば、フック状部６ｃ、６ｄは、右スリット６ａの長手方向に交差する方向であって、舌片６ｂの反対側に延びる。
【００１５】
上下方向において、突部４は、舌片５ｂと左スリット５ａの上端との間、及び、舌片６ｂと右スリット６ａの上端との間に配置されている。
【００１６】
図２は、マスク１０を取り付けた飛沫防止具１の略示斜視図である。図２の前後は、図１の表裏に対応する。ユーザの口３３及び鼻３２（図３参照）を覆うマスク１０が飛沫防止具１に取り付けられる。マスク１０は、不織布又はガーゼなどによって構成されたマスク本体１０ａと、該マスク本体１０ａの左右それぞれに取り付けられた紐１０ｂとを備える。図２においては、右側の紐１０ｂのみ示されている。
【００１７】
使用時において、シールド板２は、左右方向中央部が前方に突出するように、左右部分が曲げられる。マスク本体１０ａはシールド板２の後側にて、凹部３を覆うように配置される。右側の紐１０ｂは、右スリット６ａの隙間に挿入され、シールド板２の前側に配置される。このとき、舌片６ｂを押すことによって、右スリット６ａの隙間が大きくなり、紐１０ｂを挿入しやすくなる。
【００１８】
また、スリット６ａの両端にフック状部６ｃ、６ｄを設けているので、右フラップ６におけるフック状部６ｃ、６ｄの間の部分が、フック状部６ｃ、６ｄを設けない場合に比べて、動きやすくなっており、右スリット６ａの隙間が大きくなりやすく、紐１０ｂを更に挿入しやすくしている。また、フック状部６ｃ、６ｄに紐１０ｂを挿入させることによって、紐１０ｂがフック状部６ｃ、６ｄに引っ掛かり、スリット６ａの長手方向に移動しにくくなり、スリット６ａから抜けにくくなる。
【００１９】
なお左側の紐１０ｂも、右側の紐１０ｂと同様に、左スリット５ａの隙間に挿入され、シールド板２の前側に配置される。舌片５ｂ、フック状部５ｃ、５ｄは、舌片６ｂ、フック状部６ｃ、６ｄと同様に機能する。なお紐１０ｄを、フック状部５ｃ、５ｄ、６ｃ、６ｄ以外の左スリット５ａ及び右スリット６ａの隙間に挿入してもよい。
【００２０】
マスク１０を取り付けた飛沫防止具１は、ユーザの顔３１の前に配置され、左右の紐１０ｂをユーザの左右の耳に掛けられる。シールド板２は、ユーザの顔３１に沿って曲げられる。
【００２１】
図３は、飛沫防止具１をユーザに取り付けた状態を示す模式的部分拡大縦断面図である。図３の前後は、図１の表裏に対応する。図３に示すように、飛沫防止具１をユーザに取り付けた場合、マスク本体１０ａは、ユーザの口３３及び鼻３２を覆う。突部４は、マスク本体１０ａを介して、ユーザの鼻３２に当接する。
【００２２】
曲げられたシールド板２には、弾性復元力が発生しており、シールド板２の左右部分は紐１０ｂを介してユーザの耳に固定されている。そのため、シールド板２の曲げられた中央部分には、ユーザの顔３１に接近しようとする力が作用する。しかし、突部４がユーザの鼻３２に当接しているので、シールド板２がユーザの顔３１に接近することが防止される。そのため、ユーザの顔３１とシールド板２との間には、所定距離Ｄを確保することができる。所定距離Ｄは、例えば、眼鏡を配置可能な距離である。換言すれば、突部４を設けることによって、シールド板２と顔３１との間に、適度な大きさの空間を確保することができる。
【００２３】
突部４を凹部３の底部分に配置させることによって、ユーザの鼻３２に接触しやすくなる。なお突部４を凹部３の底部分以外の箇所に配置させてもよい。また突部４の数は複数でもよい。また突部４の突出長さは、適宜変更可能である。例えば、ユーザの身長、年齢又は性別などに応じて、突部４の長さ、位置、数を変更してもよい。
【００２４】
例えば、二つの突部４を凹部３に形成し、ユーザの鼻３２の左右両側にそれぞれ当接させてもよい。また突部４の突出方向は、真下方向に限定されず、斜め下方向でもよい。
【００２５】
また凹部３の形状は円弧形に限定されず、四角形状又は三角形状など他の形状でもよい。またフック状部５ｃ、５ｄ、６ｃ、６ｄは、スリット５ａ、６ａに交差する交差部の一例に過ぎない。例えば、フック状部５ｃ、５ｄ、６ｃ、６ｄに代えて、Ｌ形部又は鉤形部を形成してもよく、スリット５ａ、６ａに直角な線状部を形成してもよい。
【００２６】
上述の実施の形態においては、飛沫防止具１の理解容易化の為に、凹部３を下側に配置させた使用状態を想定し、便宜上、上下前後左右を示している。しかし、飛沫防止具１の製造時又は出荷時においては、飛沫防止具１は平積みにされることが想定され、凹部３は、例えば前側、後側、右側又は左側に配置され得る。
【００２７】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００２８】
１  飛沫防止具
２  シールド板
３  凹部
４  突部
５ａ  左スリット（挿入孔）
６ａ  右スリット（挿入孔）
５ｃ、５ｄ、６ｃ、６ｄ  フック状部（交差部）
【図１】
0003228358.tif 000003
【図２】
0003228358.tif 000004
【図３】
0003228358.tif 000005